(57)【特許請求の範囲】
【請求項１】
正面側にエアー流入口を、背面側にエアー流出口をそれぞれ開口し、上面側は天板で、底面側は底板で、左右側面側は左右側板でそれぞれ塞いでなる形のプラスチック製の本体ボックスと、この本体ボックス内のエアー流入口とエアー流出口との間にジグザグ状にかつ出し入れ可能に収納される複数枚のフィルター本体とを備え、フィルター本体は四角形状のフィルター枠内に蛇腹状のフィルター濾材を嵌め込んでなる空調用エアーフィルターにおいて、前記フィルター枠の上端面及び下端面のそれぞれにスライド溝を前後方向全長にわたって形成する一方、前記本体ボックスの天板及び底板のそれぞれの内面に、前記フィルター枠の上端面及び下端面のそれぞれの両側を覆う形の左右のガードレールと、この左右のガードレール間に平行に配され前記スライド溝にスライド自在に嵌合するガイドレールとをそれぞれジグザグ状に突設しており、左右のガードレールの各内側には係合突片を水平に突設する一方、前記フィルター枠の上端部及び下端部のそれぞれの両側面に、前記係合突片にスライド自在に係合する係合溝をそれぞれ前後方向全長にわたって形成してなることを特徴とする空調用エアーフィルター。
【請求項２】
前記ガイドレールが断面凸形に形成され、前記スライド溝の断面形状がガイドレールの断面凸形に対応する凸形に形成されている請求の範囲の第１項に記載の空調用エアーフィルター。
【発明の詳細な説明】
技術分野
本発明は、ビルディング等に据え付けられた空気調和装置等に使用されるエアーフィルターに関するものである。
背景技術
従来、この種の空調用エアーフィルターとして、片面にエアー流入口を、反対面にエアー流出口をそれぞれ開口してなる本体ボックスを作り、この本体ボックス内のエアー流入口とエアー流出口との間に、フィルター濾材をジグザグ状に配して接着剤で一体的に貼り付けたものがある。また、最近では、本体ボックス内にフィルター濾材のみを直接に張り付けるに代えて、フィルター濾材の外周をフィルター枠で囲む複数枚のフィルター本体を作り、この複数枚のフィルター本体を本体ボックス内にジグザグ状に配置するというものもある。
しかるに、前者のように本体ボックスにフィルター濾材が分離不可能に一体接合されている上記空調用エアーフィルターでは、単に１回の使用のみで廃棄処分されており、つまり使い捨てタイプであって、ゴミ発生の増大を招くばかりか、不経済極まりなかった。
後者のようにフィルター濾材の外周をフィルター枠で囲むフィルター本体を作り、このフィルター本体を本体ボックス内に取り外し可能に収納配備すると、本体ボックスとフィルター本体とが分離可能であるため、フィルター本体のみの洗浄や交換を可能にして省資源化、ゴミ減量化を図れる。
しかしながら、この場合、本体ボックスがプラスチック成形品からなり、とくに軽量化や材料節減の目的で比較的薄肉に成形されていることが多く、この場合本体ボックス内を流れるエアーにより本体ボックスが正圧または負圧を受けることにより撓み変形を起こし易い。このようなプラスチック製の本体ボックスに対しフィルター本体が出し入れ可能にスライド方式で収納されるものでは、本体ボックスの天板及び底板の内面とフィルター本体の上下端部とのスライド面間において、本体ボックスの前記正圧により外方へ膨らむ撓み変形に伴って隙間が生じ、当該箇所からエアーが濾過されないまま漏れるという問題があった。
そこで、本発明の目的は、フィルター濾材とフィルター枠よりなるフィルター本体のみの清掃ないし洗浄や交換を可能にして省資源化、ゴミ減量化及びコストダウンを図れる空調用エアーフィルターを提供することにある。また本発明の目的は、本体ボックスの内面とフィルター本体の上下端部とのスライド面間におけるエアー漏れを防止できる空調用エアーフィルターを提供することにある。
発明の開示
本発明の空調用エアーフィルターは、正面側にエアー流入口を、背面側にエアー流出口をそれぞれ開口し、上面側は天板で、底面側は底板で、左右側面側は左右側板でそれぞれ塞いでなる形のプラスチック製の本体ボックスと、この本体ボックス内のエアー流入口とエアー流出口との間にジグザグ状にかつ出し入れ可能に収納される複数枚のフィルター本体とを備え、フィルター本体は四角形状のフィルター枠内に蛇腹状のフィルター濾材を嵌め込んでなる。このような空調用エアーフィルターにおいて、前記フィルター枠の上端面及び下端面のそれぞれにスライド溝を前後方向全長にわたって形成する一方、前記本体ボックスの天板及び底板のそれぞれの内面に、前記フィルター枠の上端面及び下端面のそれぞれの両側を覆う形の左右のガードレールと、この左右のガードレール間に平行に配され前記スライド溝にスライド自在に嵌合するガイドレールとをそれぞれジグザグ状に突設する。左右のガードレールの各内側には係合突片を水平に突設する一方、各フィルター本体のフィルター枠の上端部及び下端部のそれぞれの両側面に、前記係合突片にスライド自在に係合する係合溝をそれぞれ前後方向全長にわたって設けてなるものである。
このように構成された空調用エアーフィルターによれば、フィルター本体は本体ボックスに対し出し入れ可能に収納してあるので、フィルター本体を本体ボックスから取り出して簡単に清掃ないし洗浄や交換を行ない得て再使用することができる。また、フィルター本体は上下のスライド溝を本体ボックス内の上下のガードレール間のガイドレールにスライド自在としてあるので、フィルター本体はスライド溝をガイドレールから外すことなく本体ボックス内を前後方向に円滑に出し入れすることができる。また、フィルター本体は上下の係合溝を本体ボックスの係合突片にスライド自在に係合してあるので、本体ボックスが正圧により外方へ膨らむ撓み変形する場合も、本体ボックスの天板及び底板がフィルター本体の上下端面から離れようとするのを係合突片と係合溝との係合作用により阻止することができる。したがって、本体ボックスの上下のガイドレールとフィルター本体の上下のスライド溝とのスライド面間に隙間が生じるのを防止でき、当該箇所からエアーが濾過されないまま漏れるのを防止できる。
発明を実施するための最良の形態
図１及び図２において、この空調用エアーフィルターは、本体ボックス１と、この本体ボックス１内に出し入れ可能に収納する複数枚のフィルター本体２とを備える。本体ボックス１は正面側にエアー流入口３を、背面側にエアー流出口４をそれぞれ開口し、上面側は天板５で、底面側は底板６で、左右側面側は左右側板７，８でそれぞれ塞いでなるＡＢＳ樹脂等プラスチック成形品である。
図３及び図４に示すように、フィルター本体２は四角形枠状のフィルター枠９にフィルター濾材１０を嵌め込んでなる。フィルター枠９はＡＢＳ樹脂等プラスチック製の断面溝形枠材１１を四角形状に枠組みしてなる。断面溝形枠材１１は左右の分割枠１１１，１１２を分離可能に突き合わせ結合するものとしてあり、各分割枠１１１，１１２は断面Ｌ形の上下枠１１１ａ，１１２ａ，１１１ｂ，１１２ｂと前後枠１１１ｃ，１１２ｃ，１１１ｄ，１１２ｄとを有する四角形枠状に形成される。左右の分割枠１１１，１１２を突き合わせることにより上下枠１１１ａ，１１２ａ，１１１ｂ，１１２ｂ及び前後枠１１１ｃ，１１２ｃ，１１１ｄ，１１２ｄはそれぞれ断面溝形を呈する。
フィルター濾材１０の素材としては合成繊維を使用し、合成繊維のうちでも特に洗浄によく耐え、また付着ゴミ粒子を洗い落し易いポリエチレン繊維、ポリプロピレン繊維等のポリオレフィン系繊維が使用される。ポリオレフィン系繊維を不織布あるいは編物、織物などの布帛にし、この布帛を図４に示すごとく多数の山部１０ａが連なる蛇腹状に折り曲げることによりフィルター濾材１０が構成される。
この蛇腹状のフィルター濾材１０の山部連なり方向と直交する幅方向の両端部の表裏両面には、ポリプロピレン系樹脂からなるシール材１２が山部連なり方向にわたって隣接する山部１０ａ．１０ａ同士間の谷部１０ｂを埋めるよう塗布し乾燥固化することにより一体に形成される。
そして、このフィルター濾材１０は、図５及び図６に示すように、断面溝形枠材１１の左右の分割枠１１１，１１２同士間に取り外し可能に挟持される。その際、フィルター濾材１０の幅方向両端部が断面溝形枠材１１の溝内に嵌合するとともに、その幅方向両端部と断面溝形枠材１１の溝内との間の隙間がシール材１２でシールされる。このシールによって、フィルター濾材１０の幅方向両端部が断面溝形材１１の溝内との間の隙間からエアーが濾過されないまま漏れるのを防止する。
フィルター濾材１０は蛇腹状に折り畳むことにより、一定の縦横サイズのフィルター濾材１０に対する空気の接触面積をできだけ増やすことができるので通気抵抗を低減させる効果がある。
フィルター本体２は、図１及び図６に示すごとく本体ボックス１内に左右方向にジグザグ状に配されるように本体ボックス１の正面側から出し入れ可能に装着される。フィルター本体２をジグザグ状に配置するのは、一定枚数のフィルター本体２に対する空気の接触面積をできる限り増大して通気抵抗を低減し空気の濾過処理量を高めるためである。
図２及び図５に示すように、本体ボックス１の天板５の内面及び底板６の内面には断面凸形のガイドレール１５とこのガイドレール１５の左右両側に平行に配されるガードレール１６，１６とがそれぞれジグザグ状に突設される一方、各フィルター本体２のフィルター枠９の上枠１１１ａ，１１２ａの上端面及び下枠１１１ｂ，１１２ｂの下端面のそれぞれに、ガイドレール１５にスライド自在に嵌合する断面凸形のスライド溝１７が前後方向全長にわたって形成される。本体ボックス１の上下の左右のガードレール１６，１６は、フィルター枠９の上枠１１１ａ，１１２ａの上端部及び下枠１１１ｂ，１１２ｂの下端部のそれぞれの両側を覆うようにフィルター枠９の厚みよりも僅かに広幅の間隔で対向配備している。この左右のガードレール１６，１６の各内側の前後には係合突片１８を水平に突設する一方、フィルター枠９の上枠１１１ａ，１１２ａの両側面及び下枠１１１ｂ，１１２ｂの両側面のそれぞれに、係合突片１８にスライド自在に係合する係合溝１９を前後方向全長にわたって設ける。
かくして、フィルター本体２は上下枠１１１ａ，１１２ａ，１１１ｂ，１１２ｂを本体ボックス１内の上下に対向するガードレール１６，１６間に嵌合させるとともに、上下のスライド溝１７，１７を上下のガイドレール１５，１５に摺動させることにより、本体ボックス１内を前後斜め方向に脱線することなく円滑に出し入れすることができる。それと同時に、フィルター本体２は上下の係合溝１９を本体ボックス１の係合突片１８に係合させているので、本体ボックス１の天板５及び底板６がこの内部を流れるエアーにより正圧を受けることで外方へ膨らむ撓み変形を起こす場合も、本体ボックス１の上下のガイドレール１５，１５がフィルター本体２の上下のスライド溝１７，１７から離れるように変位するのを防止できる。したがって、この場合本体ボックス１の上下のガイドレール１５，１５とフィルター本体２の上下のスライド溝１７，１７とのスライド面間に隙間が生じて当該箇所からエアーが濾過されないまま漏れるのを防止できる。
図２及び図６に示すように、本体ボックス１の背面側のエアー流出口４内には断面溝形の後ろ縦桟２０がガイドレール１５の後端位置に対応すべく左右方向に所定間隔をおいて配置固定され、この後ろ縦桟２０の溝２０ａ内でフィルター本体２の後枠１１１ｄ，１１２ｄを受け入れるようにしている。そして本体ボックス１の正面側のエアー流入口３内には、断面溝形の前縦桟２１がガイドレール１５の前端位置に対応すべく左右方向に所定間隔をおいて並ぶように上下の横桟２２，２３でつないでなる押さえ枠体２４が嵌め込み自在とされている。フィルター本体２を本体ボックス１内に差し込み収納した後、押さえ枠体２４を本体ボックス１の正面側に嵌め込み固定すると、前縦桟２１の溝２１ａ内でフィルター本体２の前枠１１１ｃ，１１２ｃが押されてフィルター本体２全体が後ろ縦桟２０に対し押しつけられる。
図６に示すように、後ろ縦桟２０及び前縦桟２１の各溝２０ａ，２１ａにはスポンジゴム等からなるエアー漏れ防止用のシール材２５を内在させることにより、隣り合うフィルター本体２の前枠１１１ｃ，１１２ｃ同士の合掌部分、及び後枠１１１ｄ，１１２ｄ同士の合掌部分から流入空気が濾過されないままエアー流出口４側へ漏れるのを防止している。
上記構成の空調用エアーフィルターにおいて、エアー流入口３から流入するエアーはフィルター本体２のフィルター濾材１０の濾過作用により清浄化されてエアー流出口４から流出する。その際、前述したように、本体ボックス１の天板５及び底板６がこの内部を流れるエアーにより正圧を受けることで外方へ膨らむ撓み変形を起こす場合も、本体ボックス１のガイドレール１５とフィルター本体２のスライド溝１７とのスライド面間に隙間が生じるのを係合突片１８と係合溝１９との係合作用により防止するので、当該スライド面からエアーが濾過されないまま漏れるようなことがない。したがって、この空調用エアーフィルターによれば空気清浄の効率を高めることができる。
使用に伴いフィルター本体２が破損した場合は、本体ボックス１はそのまま使用し、フィルター本体２のみを本体ボックス１から取り出して新規なものと取り替えればよく、この取り替えは簡単に行える。
上記実施例ではフィルター枠９の断面溝形枠材１１の溝からフィルター濾材１０を取り外すことができるようにしてあるので、フィルター濾材１０のみが汚れたり、破損した場合もその清掃洗浄や取り替えを容易に行うことができ、またフィルター濾材１０は洗浄後、再度フィルター枠９内に嵌め込み直すことで再使用できるが、必ずしもこれに限定されるものではなく、フィルター枠９とフィルター濾材１０とは分離不可能に一体化されているものであってもよい。
産業上の利用可能性
請求の範囲の第１項、第２項及び第３項に係る発明によれば、本体ボックスに対しフィルター本体を出し入れすることができるので、フィルター本体のみの清掃洗浄や交換を可能にして再使用することができ、省資源化、ゴミ減量に貢献する。
請求の範囲の第１項及び第２項に係る発明によれば、フィルター本体は上下のスライド溝を本体ボックス内の上下のガードレール間のガイドレールに摺動させることにより本体ボックス内に脱線することなく円滑に出し入れすることができる。それと同時にフィルター本体は上下の係合溝を本体ボックスの係合突片にスライド自在に嵌合してあるので、本体ボックスが正圧により外方へ膨らむ撓み変形する場合も本体ボックスの上下のガイドレールとフィルター本体の上下のスライド溝とのスライド面間に隙間が生じるのを防止でき、当該箇所からのエアー漏れを防止できる。
【図面の簡単な説明】
図１は空調用エアーフィルターの外観斜視図である。
図２は空調用エアーフィルターの分解斜視図である。
図３は空調用エアーフィルターのフィルター本体の外観斜視図である。
図４は空調用エアーフィルターのフィルター本体の分解斜視図である。
図５は空調用エアーフィルターの本体ボックスに対しフィルター本体を収納した状態を示す縦断面図である。
図６は空調用エアーフィルターの本体ボックスに対しフィルター本体を収納した状態を示す横断平面図である。
【図１】
0003799233.tif 000002
【図２】
0003799233.tif 000003
【図３】
0003799233.tif 000004
【図４】
0003799233.tif 000005
【図５】
0003799233.tif 000006
【図６】
0003799233.tif 000007